Podtech/llm-jp-corpus-v4-ja_patent huggingface dataset:
(57)【要約】      （修正有）【課題】吸込グリルカバー格子部そのものに形状・改造加工しなくても空調用フィルターが取付ける事ができ着脱も容易になる。【解決手段】吸込グリルカバー格子内側とフック穴付押さえ金枠の間に、はとめ穴付空調用フィルターを挟み押さえることにより、はとめ穴付空調用フィルターを取付固定する。そのために吸込グリルカバー格子外側より引きばね式金枠固定フックを通して次に、はとめ穴付空調用フィルターの、はとめ穴を通し吸込グリルカバー格子１４に格子フック１５がかかっていることを確認したうえでつまみ１１をつまみ上げながらフック穴付押さえ金枠のフック穴に先端フック１０を引っ掛ける。そのことにより引きばね式金枠固定フックの引きばね１２の引く力により、はとめ穴付空調用フィルターは吸込グリルカバー格子内側とフック穴付押さえ金枠との間で挟み押さえられ固定される。はとめ穴付空調用フィルターは取り付け取り外しは容易になる。【選択図】図２
0003143236.tif 000002
【実用新案登録請求の範囲】
【請求項１】
天井埋込型室内空気調和装置の吸込グリルカバー格子内側とフック穴付押さえ金枠との間に、はとめ穴付空調用フィルターを挟み取付けるため吸込グリルカバー格子外側より引きばね式金枠固定フックを通し次に、はとめ穴付空調用フィルターのはとめ穴に通し先端フックつまみを引きながらフック穴付押さえ金枠のフック穴に引っ掛ける。引きばねの張力により、はとめ穴付空調用フィルターを挟み取り付けるための、引きばね式金枠固定フック。
【考案の詳細な説明】
【技術分野】
【０００１】  本考案は、室内空気調和装置の吸込グリルカバー格子面に、はとめ穴付空調用フィルター挟み取付保持するための引きばね式金枠固定フックに関するものである。
【背景技術】
【０００２】  室内空気調和装置の吸込グリルカバー格子面に、はとめ穴付空調用フィルターを取り付けようとするとき吸込グリルカバー格子部は強固かつ容易に取り付けられる構造形状でない。
【考案の開示】
【考案が解決しようとする課題】
【０００３】  取り付ける、はとめ付空調用フィルターは交換のため着脱が容易にできる事が課題である。
【課題を解決するための手段】
【０００４】  室内空気調和装置の吸込グリルカバー格子内側に、はとめ穴付空調用フィルターを置きその上にフック穴付押さえ金枠を置き、引きばね式金枠固定フックを先端フックから格子外側より空調用フィルターはとめ穴の順で通し、フック穴付押さえ金枠のフック穴に先端フックを引っ掛ける。はとめ穴付空調用フィルターがばねの引く力によりフック穴付押さえ金枠に挟み押さえられ取付ができ着脱も容易である。
【考案の効果】
【０００５】  上述により吸込グリルカバーの形状・改造等の加工をしなくてもそのままの状態で空調用フィルター取付け取外しができて短時間で容易に交換できる。
【考案を実施するための最良の形態】
【０００６】  室内空気調和装置の吸込グリルカバーを開け、取り外して交換作業を行う方が望ましく吸込グリルカバーを水平に置き先に格子面内側に、はとめ穴付空調用フィルターを置きその上にフック穴付押さえ金枠を置いておく、吸込グリルカバー端を少し斜めに持ち上げ格子外側より引きばね式金枠固定フックの先端フックを先として格子を通し次に、はとめ穴付空調用フィルターのはとめ穴に通す。格子外側は引きばね式金枠固定フックの格子フックが格子かかっているのを確認したうえ先端フックをつまみ引きながらフック穴付押さえ金枠のフック穴に引っ掛ける。この動作を吸込グリルカバーの四隅４ヶ所行う。
【実施例】
【０００７】  以下添付図面に従って実地例を説明する。吸込グリルカバー４を水平に置き、はとめ穴付空調用フィルター３を格子内側８に平たく置きその上にフック穴付き押さえ金枠２を置いておく引きばね式金枠固定フック５の通し作業は四隅１ヶ所からはじめ吸込グリルカバー端を少し斜めに持ち上げ格子外側９から引きばね式金枠固定フック５の先端フック１０を通し、はとめ穴付空調用フィルター３のはとめ穴７を通しておく引きばね式金枠固定フック５の格子外側９は吸込グリルカバー格子断面１４に格子フック１５がかかっていることを確認のうえ引きばね式金枠固定フック５のつまみ１１をつまみ上げながら先端フック１０をフック穴付き押さえ金枠２のフック穴６に引っ掛ける。この動作を吸込グリルカバー４の四隅４ヶ所行うことにより、はとめ穴付空調用フィルター３は吸込グリルカバー４とフック穴付き押さえ金枠２の間に引きばね式金枠固定フック５の引きばね１２の引く力で挟み固定される。
【産業上の利用可能性】
【０００８】  空調設備メンテナンス、洗浄必要な空調用フィルターの着脱交換作業の軽減化。
【図面の簡単な説明】
【０００９】
【図１】室内空気調和装置の吸込グリルカバーに取り付ける全体展開図
【図２】引きばね式金枠固定フックの詳細図
【符号の説明】
【００１０】  １  室内空気調和装置本体
２  フック穴付押さえ金枠
３  はとめ穴付空調用フィルター
４  吸込グリルカバー
５  引きばね式金枠固定フック
６  フック穴
７  はとめ穴
８  格子内側
９  格子外側
１０  先端フック
１１  つまみ
１２  引きばね
１３  ステンレスワイヤー
１４  吸込グリルカバー格子断面
１５  格子フック
【図１】
0003143236.tif 000003
【図２】
0003143236.tif 000004
【手続補正書】
【提出日】平成20年4月9日(2008.4.9)
【手続補正１】
【補正対象書類名】実用新案登録請求の範囲
【補正対象項目名】全文
【補正方法】変更
【補正の内容】
【実用新案登録請求の範囲】
【請求項１】
天井埋込型室内空気調和装置の吸込グリルカバー格子内側とフック穴付押さえ金枠との間に、はとめ穴付空調用フィルターを挟み取付けるため吸込グリルカバー格子外側より引きばね式金枠固定フックの先端フックを通し、はとめ穴付空調用フィルターのはとめ穴に通し先端フックつまみを引きながらフック穴付押さえ金枠のフック穴に先端フックを引っ掛けることにより引きばねの張力で、はとめ穴付空調用フィルターを挟み取り付けるための、引きばね式金枠固定フック。
【手続補正２】
【補正対象書類名】図面
【補正対象項目名】図２
【補正方法】変更
【補正の内容】
【図２】
0003143236.tif 000005
(57)【要約】      （修正有）【課題】金型代を削減し製造コストを下げ、環境問題に考慮したバインダーを提供する。【解決手段】バインダーを二分割し、本の厚みの変更・設定時に一形状の製品で対応できる様にしページ９を樹脂ネジ６，６ａで束ねたものをＣ状のレール８に樹脂ネジ６，６ａを車輪代わりにしスライドさせてセットする。ページロック穴に２本のピン７で樹脂ネジ６，６ａを挟む様に入れて固定する。ページセットの時間を短縮して簡素化をはかり、本の厚み別にバインダーを作製せずに統一して使えるところを特徴とする。【選択図】図３
0003143237.tif 000002
【実用新案登録請求の範囲】
【請求項１】
バインダーを二分割し、本の厚みの変更・設定時に一形状の製品で対応できる様にしページを樹脂ネジで束ねたものをＣ状のレールに樹脂ネジを車輪代わりにしスライドさせてセットする。ページロック穴に２本のピンで樹脂ネジを挟む様に入れて固定する。
ページセットの時間を短縮して簡素化をはかり、本の厚み別にバインダーを作製せずに統一して使えるところを特徴とするワイドフリーバインダー。
【考案の詳細な説明】
【技術分野】
【０００１】  本考案は様々な本の厚みにこれ一つで対応が出来、束ねられたページをＣ状のレールに通し、ページの抜け防止の為にピンで固定して使うバインダーに関するものである。
【背景技術】
【０００２】  本を作る時はページの数量によって本の厚みが変化してしまい、一度造ったバインダー用の金型が無駄になってしまい、再度金型を作る事がよくあります。
ページ枚数の多いものをバインダーにセットするのに一体化していて分離の出来ないバインダーの場合はページに開いているシャフト用の穴にシャフトをセットするのに時間が掛かり過ぎてしまっていた。
【考案の開示】
【考案が解決しようとする課題】
【０００３】  その都度の金型の作製やページセットの時間が掛かる事はコストアップに繋がり製品単価に反映してしまう事がある。従ってその都度の金型の作製を省き、ページセットの時間を短縮し欠点を解決しようとするものである。
【課題を解決するための手段】
【０００４】  本考案はバインダーを二分割する事により、本の厚みの変化に対応し金型の作製の負担を解消し、バインダー本体とは独立したかたちで樹脂ネジを使い単独でページを束ね、樹脂ネジを車輪の様に使いＣ状のレールの中をスライドして通しページが抜けない様に２本のピンでロックし問題を解決している。
【考案の効果】
【０００５】  上述の様に本考案のワイドフリーバインダーは、金型作製の負担もなく手間の掛かるページセットも単独で行うので、製本が容易にできコストダウンに役立ちます。
【考案を実施するための最良の形態】
【０００６】  本のページとなる物を揃え、樹脂ネジを通す穴を合わせます、樹脂ネジを穴に入れ反対側からネジを留めてセットしておく。その束をバインダーのＣ状のレールに通しページロック穴に樹脂ネジを挟む様にピンを２本入れ、束をロックする事によりバインダーからページの束が抜けなくなる。
【実施例】
【０００７】  以下、添付図面に従って一実施例を説明する。１は耐久性のプラスチック等適宣素材で一体化形成されたバインダー本体。２は、５の表紙にバインダーを留める為の穴で４のプラスチックリベットを使いバインダーと表紙を固定する。【０００８】  ６はページを束ねる為のもので、ページに開いている任意の数の穴に通し、６ａで反対から留める。【０００９】  束ねられたページを表紙に固定されたバインダーの、８のＣ状のレールに挿入する。
３のロックピン用の穴を活用し、６と６ａの樹脂ネジを挟む様に７のロックピンを入れてロックする。
【図面の簡単な説明】
【００１０】
【図１】本考案のワイドフリーバインダーの実施例を示す正面図である。
【図２】ワイドフリーバインダーの側面図。
【図３】ワイドフリーバインダーとページの組立図である。
【符号の説明】
【００１１】  １    ワイドフリーバインダー本体
２    表紙にワイドフリーバインダーを留める穴
３    ロックピン用穴
４    プラスチックリベット
５    表紙
６    樹脂ネジ（メス側）
６ａ  樹脂ネジ（オス側）
７    ロックピン
８    バインダーＣ状レール
９    ページの想像図
【図１】
0003143237.tif 000003
【図２】
0003143237.tif 000004
【図３】
0003143237.tif 000005
【手続補正書】
【提出日】平成20年4月14日(2008.4.14)
【手続補正１】
【補正対象書類名】実用新案登録請求の範囲
【補正対象項目名】全文
【補正方法】変更
【補正の内容】
【実用新案登録請求の範囲】
【請求項１】
バインダーを二分割した左右対称のＣ状のレールの物に、一対の頭を有する樹脂ネジで台紙を束ね、前記バインダーのＣ状の部分にスライドさせてセットし、ページロック穴にロックピンを入れ樹脂ネジを挟む様に固定するところを特徴とするワイドフリーバインダー。
(57)【要約】      （修正有）【課題】トイレットペーパーホルダーのペーパーを切断後、該ペーパーを続けて引き出せるように、該ペーパーの切断部分に、つまみ部分を凸状に一部、切り残すことのできるトイレットペーパー切断器具を提供する。【解決手段】円筒形の中心軸を水平に固定した形式のトイレットペーパーホルダーにおいて、当該部分を引っ張ることによりトイレットペーパーを引き出せる程度の形と大きさのトイレットペーパー端部の一部（以下、つまみ部分という）を切り残すため、つまみ部分と同程度の大きさの長方形、楕円または台形等の板（以下、つまみ切断板という）の端部の１ｃｍ程の幅の部分を、トイレットペーパーホルダーの紙切断板の前部先端に固定し、残りの部分を紙切断部分から突出し、かつトイレットペーパーと、つまみ切断板の間に指が入る程度に浮かす。【選択図】図１
0003143231.tif 000002
【実用新案登録請求の範囲】
【請求項１】
トイレットペーパーを引出し易くするためのつまみ部分を切断する器具。
【請求項２】
引出しつまみ部分切断器具付きトイレットペーパーホルダー。
【考案の詳細な説明】
【技術分野】
【０００１】  本考案は、トイレットペーパーホルダーのペーパー切断板の一部を突出させることにより、紙の切断後、続けて紙を引出すためのつまみ部分を切残すことを目的とする切断器具である。
【背景技術】
【０００２】  従来のトイレットペーパーホルダーの切断板は、紙を切断するためには実用上十分であった。【０００３】  しかし、切断板の端部で紙が切断されるため続けて紙を引き出すためには、切断板を上に上げ紙の端部を引出す必要があった。【０００４】  この改善策として、従来のトイレットペーパーホルダーと全く異なる構造のものが発明されているが構造が複雑であった。
【特許文献１】特開２００７−６１１２９
【考案の開示】
【考案が解決しようとする課題】
【０００５】  解決しようとする問題点は、従来のトイレットペーパーホルダーを利用し、なおかつ紙の取り出しが従来のものより簡単となるという点である。
【課題を解決するための手段】
【０００６】  本考案は、従来のトイレットペーパーホルダーの切断板に凸状に突出して取り付け、紙を切断した場合、一部分が凸状に突出して切断されることを特徴とする。
【考案の効果】
【０００７】  従来のトイレットペーパーホルダーの切断板は、良く切れるものほど紙が切断板の部分で完全に切断されるため、続けて紙を取出すのに切断板を持ち上げ紙の端部を引き出す必要があった。しかし、本考案は、紙を取出すためのつまみ部分を残し紙を切断するため、比較的円滑に紙を取出すことができる。
【考案を実施するための最良の形態】
【０００８】  既存のトイレットペーパーホルダーのペーパー切断板の端部に、本考案を両面テープで接着することにより使用可能となる。本考案は、本考案の端部で紙が切断でき、その紙を切断板を持ち上げずに取り出せるような形態のものであればどんな形でも良い。
【実施例１】
【０００９】  図面３のような板をトイレットペーパーホルダーに取り付けた場合に、トイレットペーパーから適当な間隔が開くように、図面２のように曲げ加工し、端部に両面テープを取り付ける。【０００１０】  これを、図面１のように取り付け、従来のトイレットペーパーホルダーと同様な使用方法で、つまみ部分が残って切断される。
【産業上の利用可能性】
【０００１１】  本考案の形態を動物や植物などの形状や彫刻にし、トイレットペーパーホルダーに貼ることによりインテリアのように使用することもできる。
【図面の簡単な説明】
【０００１２】
【第１図】
本考案を、従来のトイレットペーパーホルダーの切断板に取り付けた場合の姿図である。
【第２図】
本考案の側面図である。
【第３図】
本考案の正面図である。
【図１】
0003143231.tif 000003
【図２】
0003143231.tif 000004
【手続補正書】
【提出日】平成20年4月7日(2008.4.7)
【手続補正１】
【補正対象書類名】実用新案登録請求の範囲
【補正対象項目名】全文
【補正方法】変更
【補正の内容】
【実用新案登録請求の範囲】
【請求項１】
円筒形の中心軸を水平に固定した形式のトイレットペーパーホルダーにおいて、当該部分を引っ張ることによりトイレットペーパーを引き出せる程度の形と大きさのトイレットペーパー端部の一部（以下、つまみ部分という）を切り残すため、つまみ部分と同程度の大きさの長方形、楕円または台形等の板（以下、つまみ切断板という）の端部の１ｃｍ程の幅の部分を、トイレットペーパーホルダーの紙切断板の前部先端に固定し、残りの部分を紙切断部分から突出し、かつトイレットペーパーと、つまみ切断板の間に指が入る程度に浮かしたトイレットペーパーつまみ切断器具。
【請求項２】
幅１１．５ｃｍのトイレットペーパーの一部のつまみ部分と同程度の大きさのつまみ切断板を、トイレットペーパーホルダーの紙切断板の先端に突出し、かつ指が入る程度にトイレットペーパーから離して取り付けるという特徴を有する請求項１に記載のつまみ切断器具付きトイレットペーパーホルダー。
【手続補正２】
【補正対象書類名】図面
【補正対象項目名】図２
【補正方法】変更
【補正の内容】
【図２】
0003143231.tif 000005
【手続補正３】
【補正対象書類名】図面
【補正対象項目名】図３
【補正方法】変更
【補正の内容】
【図３】
0003143231.tif 000006
(57)【要約】      （修正有）【課題】使い勝手の良い有効に使用できる脱臭剤を提供する。【解決手段】炭粉と固形材とバインダーと混合して球状、楕円状、卵形等の丸みを特徴とする成形体であり、冷蔵庫内の卵ポケットに入る大きさにする事により冷蔵庫内の機能を合理的に活用することが可能となる。【選択図】図１
0003143259.tif 000002
【実用新案登録請求の範囲】
【請求項１】
炭粉と固形材とバインダーからなる成形体が球状、楕円状、卵形等の丸みを特徴とする脱臭剤。
【請求項２】
前記記載の炭粉の粒径が０．０５ｍｍ〜０．２ｍｍであることを特徴とする請求項１記載の脱臭剤。
【考案の詳細な説明】
【技術分野】
【０００１】  本考案は、冷蔵庫内卵ポケット又は部屋等で脱臭剤として使用する炭粉の成形体に関するものである。
【背景技術】
【０００２】  冷蔵庫内の脱臭剤は常に奥にしまわれ脱臭機能が失われても気付かず放置されることが多かった。
【考案の開示】
【考案が解決しようとす課題】
【０００３】  脱臭機能を効果的に果たし使い易い脱臭剤を提供する。
【考案が解決しようとす手段】
【０００４】  本考案は、炭粉と固形材、バインダーからなる脱臭剤を球状、楕円状、卵形等に成形し冷蔵庫内の卵ポケットに入る大きさの成型体とすることによって冷蔵庫内の卵ポケットを利用でき食品庫である冷蔵庫に設置することによって不快感を与えなく使用できる。又他の場所でも有効的に使用出来る。
【考案の効果】
【０００５】  上述の様に本考案の炭粉と固形材とバインダーの成型体は日常的に使用する冷蔵庫内で目で確認が出来効果的に使用できる。
【考案を実施する為の最良の形態】
【０００６】  本考案は、冷蔵庫内の卵ポケットを利用出来る球状、楕円状、卵形の大きさに成型する事によって冷蔵庫を使い易く使用する炭の成形体である。
【実施例】
【０００７】以下、添付図面に従って実施例を説明する。
図１は本考案の冷蔵庫内で使用する球状の脱臭剤の例である。
図２は本考案の冷蔵庫以外で使用する実施例である。
【図面の簡単な説明】
【０００８】
【図１】冷蔵庫内の卵ポケットに本考案脱臭剤を入れた図である。
【図２】冷蔵庫以外で本考案脱臭剤を使用する場合の図である。
【符号説明】
【０００９】    １    卵形脱臭剤
２    冷蔵庫に設置されている卵ポケット
３    冷蔵庫扉
４    脱臭剤を入れる容器
【図１】
0003143259.tif 000003
【図２】
0003143259.tif 000004
(57)【要約】【課題】  本考案の爪装飾具は、任意の装飾体によって爪のファッション性を発揮し、特別な用具を必要とせず、容易に取りつけと取り外しができ、装着時は脱落することがない爪装飾具である。【解決手段】  縦断面形状がコ状の係止本体の下方に折り曲げられた先端部が二股に分かれて更に上方に曲げられて係止部を形成し爪の先端部に装着されるように形成されたことを特徴とし、係止本体の上面部に螺子を嵌合させ、該螺子の先端と二股に分かれた下方係止部の二個所との三箇所によって係止本体を爪の先端部に保持するように構成したことを特徴とし、且つ、係止本体の上面部に装飾体を鑞付け又は上面部に設けられた孔部に着脱できるように構成した爪装飾具を提供する。【選択図】図４
0003143257.tif 000002
【実用新案登録請求の範囲】
【請求項１】
縦断面形状がコ状の係止本体の下方に折り曲げられた先端部が二股に分かれて更に上方に曲げられて係止部を形成し、爪の先端部に装着されるように形成されたことを特徴とする爪装飾具。
【請求項２】
係止本体の上面部に螺子を嵌合させ、該螺子の先端と二股に分かれた下方係止部の二個所との三箇所によって係止本体を爪の先端部に保持するように構成したことを特徴とする請求項１記載の爪装飾具。
【請求項３】
係止本体の上面部に装飾体を鑞付け又は上面部に設けられた孔部に着脱できるように構成したことを特徴とする請求項１記載の爪装飾具。
【考案の詳細な説明】
【技術分野】
【０００１】  本考案は爪装飾具に関するものである。
【背景技術】
【０００２】  従来、爪の装飾に関する種々の考案が提案されている。
特許文献１の特開２０００−２２９０１１号は、爪装飾用基板の先端を下向きに折り曲げて、爪の先端を挿入するものであるが、爪の先端のカーブが爪装飾用基板の先端のカーブに一致しない場合は脱落し易いものであった。【０００３】  特許文献２の実開昭６３−８７０９４号には、合成樹脂フィルムからなる爪装飾具が提案されているが、ベース板の表面に色相変化する液晶が形成され、裏面に接着層が形成されているものであり着脱が容易なものではなかった。【０００４】  また、特許文献３の実用新案登録第３１３８５２８号は、爪の先端部を挟持ねじと爪の下面より食い込む先端部の上下２箇所で爪装飾具を保持するものであったが、爪がカーブしているために上下の２箇所で爪装飾具を支えても脱落し易いものであった。【０００５】
【特許文献１】  特開２０００−２２９０１１号公報
【特許文献２】  実開昭６３−８７０９４号公報
【特許文献３】  実用新案登録第３１３８５２８号公報
【考案の開示】
【考案が解決しようとする課題】
【０００６】  本考案は着脱が容易な爪装飾具であって、装着時は３点の付勢力によって装着されているので、装着後は脱落しにくく、使い易い爪装飾具を提供するものであり、縦断面形状がコ状の係止本体の下方に折り曲げられた先端部が二股に分かれて更に上方に曲げられて係止部を形成し、爪の先端部に装着されるように形成された爪装飾具を提供する。【０００７】  係止本体の上面部に螺子を嵌合させ、該螺子の先端と二股に分かれた下方係止部の二個所との三箇所によって係止本体を爪の先端部に保持するように構成したことを特徴とする爪装飾具を提供する。【０００８】  係止本体の上面部に装飾体を鑞付け又は上面部に設けられた孔部に着脱できる爪装飾具を提供する。
【課題を解決するための手段】
【０００９】  縦断面形状がコ状の係止本体の下方に折り曲げられた先端部が二股に分かれて更に上方に曲げられて係止部を形成し爪の先端部に装着されるように形成されたことを特徴とし、係止本体の上面部に螺子を嵌合させ、該螺子の先端と二股に分かれた下方係止部の二個所との三箇所によって係止本体を爪の先端部に保持するように構成したことを特徴とし、且つ、係止本体の上面部に装飾体を鑞付け又は上面部に設けられた孔部に着脱できるように構成したことを特徴とする爪装飾具である。
【考案の効果】
【００１０】  本考案の爪装飾具は、任意の装飾体によって爪のファッション性を発揮し、特別な用具を必要とせず、容易に取りつけと取り外しができ、装着時は脱落することがない爪装飾具である。
【考案を実施するための最良の形態】
【００１１】
【００１２】  以下、図面に基づいて本考案の爪装飾具を具体的に説明する。
図面において、図１は本考案爪装飾具の平面図である。図２は図１の中央断面図である。図３は図１の背面図である。図４は使用状態を示す斜視図である。【００１３】  図面に示すように、縦断面形状がコ状の係止本体１の下方に折り曲げられた先端部１１が図３に示すように二股に分かれており、図２乃至図４に示すように先端部１１は更に上方に曲げられて係止部１１ａ及び１１ｂを形成しており、爪の先端部に装着されるように形成されている。【００１４】  係止本体１の上面部に螺子２を嵌合させ、該螺子２の先端の押圧部２１と、二股に分かれた下方係止部１１ａ及び１１ｂの二個所との三箇所によって係止本体１を爪の先端部に保持するように構成されている。【００１５】  係止本体１の上面部に装飾体５を鑞付けすることができ、又は上面部に設けられた孔部３に装飾体５やキャラクター等を着脱することもできる。
【実施例】
【００１６】  図４に示すように、指４の爪４１を本考案爪装飾具にさしこみ、螺子２を軽く回動すれば、二股に分かれた下方係止部１１ａ及び１１ｂの二個所と該螺子２の先端の押圧部２１との三箇所で本考案爪装飾具を装着することができるので、爪のカーブに個人差があっても安定した装着ができるものである。
【産業上の利用可能性】  爪の装飾は極めて汎用的に普遍しており、通常の大人のネイルファッションのみならずテーマパーク等において子供や大人も好みのキャラクター等を装飾体として利用可能に楽しむことができる。
【図面の簡単な説明】
【００１７】
【００１８】
【図１】  本考案爪装飾具の平面図である。
【図２】  図１の中央断面図である。
【図３】  図１の背面図である。
【図４】  使用状態を示す斜視図である。
【符号の説明】
【００１９】１      係止本体
１１    先端部
１１ａ  係止部
１１ｂ  係止部
２      螺子
２１    押圧部
３      孔部
４      指
４１    爪
５      装飾体
【図１】
0003143257.tif 000003
【図２】
0003143257.tif 000004
【図３】
0003143257.tif 000005
【図４】
0003143257.tif 000006
(57)【要約】      （修正有）【課題】昆虫の幼虫飼育に用いられる、菌糸瓶の使用時、菌糸の活動に必要な容器内の空気の確保。【解決手段】スペーサー本体１の上部に、蓋接続部分２を設け、本体１下部に容器接続部分３を設けた、本容器と蓋の間に取り付けた時に、容器と蓋の間に空間を作り、上述の菌糸瓶昆虫の幼虫飼育に用いる時に、必要な空気量を容器内に確保する時に役立つ。【選択図】図２
0003143254.tif 000002
【実用新案登録請求の範囲】
【請求項１】
スペーサーは蓋付きの容器に取り付けるもので、スペーサーの上部には容器の口部分の蓋との接続部分と同じ形状を設け、下部内部には蓋内部の容器との接続部分形状を設けているもので、スペーサーを取り付ける事によって容器と蓋との間に空間を作ることができるスペーサー。
【考案の詳細な説明】
【技術分野】
【０００１】  本考案は、容器内の容量を、増やす事ができる、スペーサー
【背景技術】
【０００２】  昆虫飼育を例に挙げると、昆虫の幼虫の餌になる菌糸瓶というものを用いる菌糸瓶飼育方法があるが、菌糸瓶の製作過程で、瓶に菌の廻ったおがくずを詰めて蓋をすると、菌の活動に必要な空気の確保が困難であった。
【考案の開示】
【考案が解決しようとする課題】
【０００３】  昆虫の幼虫の飼育には、幼虫の活動するスペースの広い容器が有利で、スペーサーは空気量の確保が必要な菌糸瓶飼育の場合でも、瓶容器の上部までおがくずを詰める事が可能で、幼虫の飼育スペースを確保し、かつ容器内の空気量を確保できる。
【課題を解決するための手段】
【０００４】  本考案は、スペーサーの下部の内部に、本来、容器についていた蓋の内部の形状を設け、上部の外部には、容器の口の外部の形状を設けた、容器と蓋の間に空間を確保できるスペーサー
【考案の効果】
【０００５】  上述のように、昆虫幼虫飼育の菌糸瓶では、容器内の空気量の確保が必要であり、容器内全てのスペースを無駄なく使い、かつ空気量の確保もできるスペーサー。
【考案の実施するための最良の形態】
【０００６】  上述の様にスペーサーの下部の内部には、容器の蓋の内部の形状を設け、上部の外部には、容器の口の外部の形状を設けた設計を施しているので、いつでも取り外しが可能である。
【実施例】
【０００７】  以下、添付図面に従って一実施例を説明する。スペーサーは耐久性のあるプラスティック等適宜素材にて作成されたスペーサー。▲２▼は容器の口部分の形状をそのまま設けた蓋の取り付けができる上部部分。▲３▼部分は蓋の内部の形状をそのまま設けた容器に取り付けることができる下部部分。▲１▼はスペーサー本体。【０００８】  上述の様に、▲２▼の部分に蓋を取り付け、▲３▼の部分を容器に取り付けるので、簡単に取り外しが可能。【０００９】  本考案の一実施例は上述の如き構成からなるものであるから、スペーサーとして容器と蓋の間に取り付けて用いることは勿論であるが、必要の無い時は容器から取り外し、スペーサー同士を接続することにより、コンパクトに収納することができる。
【図面の簡単な説明】
【００１０】
【図１】図本考案のスペーサーの一実施例を示す正面図
【図２】本考案のスペーサーの下部接続部分を示す図
【図３】本考案のスペーサーの断面図
【符号の説明】
【００１１】  ▲１▼  スペーサー本体
▲２▼  蓋の取り付け部分
▲３▼  容器への取り付け部分
【図１】
0003143254.tif 000003
【図２】
0003143254.tif 000004
【図３】
0003143254.tif 000005
(57)【要約】      （修正有）【課題】将棋の駒「歩」から将棋の駒「玉」を作るための、将棋の駒「歩」の分割方法を提供する。【解決手段】将棋の駒「歩」を将棋の駒「玉」にするため、将棋の駒「歩」を枠１から、２ａ片〜１９ｒ片までの形状で分割する。「玉」にするためには、枠１の中に、「玉」の字を構成する三本の模棒を１８ｑ片と４ｃ片、１０ｉ片と９ｈ片と６ｅ片及び１２ｋ片、最下段の横棒と「玉」の字の縦棒を８ｇ片で構成する。又、「玉」の字の「、」には、１７ｐ片を使用して、「玉」を構成する。【選択図】図１
0003143269.tif 000002
【実用新案登録請求の範囲】
【請求項１】
将棋の駒「歩」を分割し、分割片を並べ替えることにより、将棋の駒「玉」にする玩具。
【考案の詳細な説明】
【技術分野】
【０００１】  この考案は、将棋の駒「歩」を多数個に分割し、その分割片を並べ替えることにより将棋の駒「玉」にする玩具である。
【技術背景】
【０００２】  従来、「歩」という漢字を分割し、その分割片で「玉」という漢字を形成するのに難しさがあった。
【考案の開示】
【考案が解決しようとする課題】
【０００３】  将棋の駒「歩」を分割し、その分割片から将棋の駒「玉」作りだすのが難しかった。
【課題を解決するための手段】
【０００４】  いまこれを図面で説明すれば、図面１のごとく分割すれば、分割片を並べ替えることにより、図２の将棋の駒「玉」が実現できる。
【考案の効果】
【０００５】  分割片の並べ替えにより、将棋の駒「歩」を将棋の駒「玉」にできる。
【考案を実施するための最良の形態】
【０００６】  以下、本考案の実施例について説明する。
将棋の駒「歩」を図１のごとく分割する。
本考案は、この分割片を並べ替えることにより、将棋の駒「歩」から将棋の駒「玉」を形成できる。
【図面の簡単な説明】
【０００７】
【図１】本考案の将棋の駒「歩」の分割の平面図である。
【図２】本考案の並べ替えによる、将棋の駒「玉」の平面図である。
【符号の説明】
【０００８】  １    枠      ２  ａ片      ３  ｂ片      ４  ｃ片      ５  ｄ片
６  ｅ片      ７  ｆ片      ８  ｇ片      ９  ｈ片    １０  ｉ片
１１  ｊ片    １２  ｋ片    １３  ｌ片    １４  ｍ片    １５  ｎ片
１６  ｏ片    １７  ｐ片    １８  ｑ片    １９  ｒ片
【図１】
0003143269.tif 000003
【図２】
0003143269.tif 000004
(57)【要約】      （修正有）【課題】ノコギリのサヤの入口を確認することなくサヤに収めることができるノコギリ収納サヤを提供する。【解決手段】ノコギリのサヤ本体１に磁石３を設け、ベルト通し２を腰ベルトに装着し、ノコギリの脱着の際保護カバー４，６により安全に作業を行うことが出来、ノコギリのサヤにノコギリを近づけるだけで磁力でノコギリが吸いよせられサヤに張り付くため、入れる入口を確認せずノコギリを脱着することができる。【選択図】図１
0003143267.tif 000002
【実用新案登録請求の範囲】
【請求項１】
ノコギリのサヤ本体に磁石を付け、鉄製のノコギリの刃がサヤより素早く脱着させる事ができることを特徴とするノコギリ収納サヤ
【考案の詳細な説明】
【技術分野】
【０００１】  本考案は、ノコギリのサヤに磁石を付けた、ノコギリのサヤに関するものである。
【背景技術】
【０００２】  ノコギリは、作業終了後ノコギリのサヤの入口を確認しながらサヤに収めていた。
【考案の開示】
【考案が解決しようとする課題】
【０００３】  ノコギリのサヤの入口を確認しながらサヤに収める事は、一日平均５００回前後作業する果樹の剪定にかかわる農家にとって負担である。従って、サヤに磁石が付いているサヤは、入口の確認をせずに収めることが出来、作業性の向上が可能になり前述の欠点を解決しようとするものである。【０００４】  本考案は、ノコギリのサヤ本体に磁石を取り付けることによりサヤの入口を確認することなくサヤに収めることがが出来問題を解決している。【０００５】  上述の様に、本考案のノコギリ収納サヤはノコギリを収納することは勿論、従来ノコギリの刃を傷つけない様、木製及びプラスチック製で作られていたためノコギリの出し入れの際、ノコギリの刃により入口より亀裂が生じノコギリのサヤが使用できなくなることを、防止することに役立つ。【０００６】  ノコギリのサヤにノコギリを近づけるだけで磁力の力でノコギリが吸いよせられサヤに張り付く。また左右の突起により衣服および人体に傷をつけることも防止する。【０００７】  以下、添付図面に従って一実施例を説明する。１は金属・樹脂及び木材等適宣素材にて一体形成されたノコギリのサヤ本体、２はベルトに通す為のベルト。
３はノコギリ本体に３ヶ所凹みを作り磁石を入れる個所。
４、は人体を保護するカバー。５は、ノコギリとベルトをつなぐピン。【０００８】  ６は、サヤ本体に埋め込まれた磁石の脱落防止の為金属・樹脂及びゴム等適宣素材にて、１のサヤ本体に貼る保護カバー。【０００９】  従来のノコギリのサヤは、入れる入口を確認して収めるが本考案のサヤはノコギリを近づけるだけで磁石の磁力により吸い付くため作業効率が良くなる。
【図面の簡単な説明】
【００１０】
【図１】本考案のノコギリの収納サヤの一実施例を示す正面図である。
【図２】本ノコギリの収容サヤの側面図である。
【符号の説明】
【００１１】１  ノコギリのサヤ本体
２  ベルト通し
３  磁石
４  保護カバー
５  ピン
６  保護カバー
【図１】
0003143267.tif 000003
【図２】
0003143267.tif 000004
(57)【要約】【課題】  二種類の薬剤を、同時に噴霧して、相乗効果によって除臭作用を効率化した脱臭ボックスを提供する。【解決手段】  ボックス本体の内部に、隙間をつけた仕切板を複数枚設け、側面の換気扇から悪臭ガスを吸入し、反対側に排出及び排水する。二種類の薬剤をそれぞれ希釈する調整器と、それに連結したタンクと圧力ポンプを設置する。ボックスの天井部には、噴霧ノズルをつけたパイプを配列し、圧力ポンプに連結する。以上のような構成で、希釈した二種類の薬剤を、同時に噴霧するのを特長とする脱臭ボックスである。【選択図】図１
0003143266.tif 000002
【実用新案登録請求の範囲】
【請求項１】
ボックス本体の内部は、上下又は左右交互に空間を設けた、複数の仕切板を設置、ボックスの片側面には、換気扇を、反対側には排出用ダクトと排水管を取り付け、薬剤と水の注ぎ口を備えた調整器と、パイプで連結したタンクと圧力ポンプを、２組併設、それぞれのタンクから延ばしたパイプをボックスの天井部に固定、天井部のパイプには、細霧ノズルをつけ、２種類の薬剤を同時に噴霧出来るようにしたのを特長とする脱臭ボックス。
【考案の詳細な説明】
【技術分野】
【０００１】  本考案は、食肉処理場などの悪臭ガスを、二種類の薬剤を使用して、除臭する脱臭ボックスに関するものである。
【背景技術】
【０００２】  従来、高濃度のオゾンを循環水に溶解させ、水中に溶け込んだ悪臭成分を、さらに超音波装置によって分解する（例えば、特許文献１参照）フイルターマットなどを利用し、散水によって臭気を溶解する（例えば、特許文献２参照）方法などがある。
【考案の開示】
【考案が解決しようとする課題】
【０００３】  しかしこれまでの消臭装置は、小規模経営の畜産農家には、装置の単価及びランニングコストの面で負担が厳しい難点があった。
【特許文献１】  特許公開２００７−６９５６
【特許文献２】  特許公開２００７−８２６４４  本考案は、これらの問題点を解決するためのものである。
【考案の開示】
【課題を解決するための手段】
【０００４】  ボックス本体の内部は、上下又は左右交互に空間を設けた、複数の仕切板を設置する。ボックスの片側面には、換気扇を、反対側には排出用ダクトと排水管を取り付る。薬剤と、水の注ぎ口を備えた調整器と、パイプで連結したタンクと圧力ポンプを、２組併置する。それぞれのタンクから延ばしたパイプを、ボックスの天井部に固定する。天井部のパイプには、細霧ノズルをつけ、２種類の薬剤を同時に噴霧出来るようにしたのを特長とする脱臭ボックスである。
【考案の効果】
【０００５】  本考案は、二種類の薬剤を同時に使用し、薬剤の相乗効果によって、さらに脱臭効率を高めるようにしたものである。この方式によってランニングコストの負担を軽減することが出来る。
【考案を実施するための最良の形態】
【０００６】  以下、本考案の実施の形態について説明する。
ボックス本体（１）の内部には、上下又は左右交互に空間を設けた複数の仕切板（２）を設置する。ボックス（１）の側面片側には工場内に発生する硫化水素などの悪臭ガス（３）を吸入する換気扇（４）と反対側には排出用ダクト（５）と排水管（６）を取り付ける。ボックス本体（１）の天井部には、細霧ノズル（７）をつけた、パイプ（８）を配列して固定する。天井部のパイプ（８）には、次亜塩素酸ソーダ（９）と水（１０）の注ぎ口を設けたＰＨ調整器（１１）と苛性ソーダ（１２）と水（１０）の注入口をつけたＰＨ調整器（１１）とタンク（１３）及び細霧用圧力ポンプ（１４）を併設する。以上のような構成で、二種類の薬剤を同時に利用出来るようにしたのを特長とする脱臭ボックスである。
まず、発生する硫化水素などの悪臭ガス（３）は、換気扇（４）でボックス内（１）に吸い込み、仕切板（２）の間を、波形に上下に流動する間に、調整器（１１）で適切なＰＨに希釈した次亜塩素酸ソーダ液（９）と苛性ソーダ液（１２）を、同時に噴霧し、薬剤の単独効果に加え、二薬剤の相乗効果で、さらに効率のよい除臭効果を上げ、清浄化した空気を排出するようにしたものである。
【図面の簡単な説明】
【０００７】
【図１】  本考案ボックスの内部側面の断面図
【図２】  本考案の平面図
【図３】  本考案の天井部パイプの底面図
【符号の説明】
【０００８】  １    脱臭ボックス
２    仕切板
３    悪臭ガス
４    換気扇
５    排出ダクト
６    排水管
７    細霧ノズル
８    パイプ
９    次亜塩素酸ソーダ
１０  水
１１  調整器
１２  苛性ソーダ
１３  タンク
１４  圧力ポンプ
【図１】
0003143266.tif 000003
【図２】
0003143266.tif 000004
【図３】
0003143266.tif 000005
(57)【要約】      （修正有）【課題】印刷機内に混入した紙粉等を排出除去する構造を持った緩衝用押え板を提供する。【解決手段】輪転機内の製品通過スペースから、紙粉等を、排出除去する為、従来、緩衝用としてのみ使用されている押え版の形状を版胴の回転に伴い、排出空気流を発生させる凸版状の壁面部を斜めにした押え版を考案した。この押え版は、あらゆる輪転機に応用でき、簡易な方法で段ボール製品精度の向上に、資するものである。【選択図】図３
0003143265.tif 000002
【実用新案登録請求の範囲】
【請求項１】
段ボール等の印刷加工時に使用する、押え版の壁面部を斜めにして、版胴の回転に伴い発生する空気流を取り付け方法で調整できる機能を有した緩衝用押え版。
【考案の詳細な説明】
【技術分野】
【０００１】本考案は、段ボール等の印刷加工時に使用する押え版に関する。
【背景技術】
【０００２】従来、段ボールケース等の印刷加工時に於て平状の段ボールシートが、印刷機内を移動する際、シートのゆがみや反りに起因して発生する振動（バタつき）を抑制する目的で印版をセットしたフィルム（整版フィルム）に緩衝用として角形のクッション性を有した押え版が使用されている。（図１▲１▼▲２▼）
【考案の開示】
【考案が解決しようとする課題】
【０００３】しかし、これでは高速回転で発生する印刷機内の空気の流れまで考慮されておらず、印刷機内に混入した紙粉の排除には何ら供することができていない。
【課題を解決する為の手段】
【０００４】そこで押え版の壁面部の形状を片面は上向きに斜めとし、もう一方の面は、下向きに斜めとし、その断面は平行四辺形となる。（図２▲１▼▲２▼）
【考案の効果】
【０００５】よって、本考案の押え版の構造により、版胴の回転に伴い発生する空気流を、押え版の取り付け角度により自在に調整することができる。例えば、
・空気の抵抗を少なくすることにより、印面部の保護や、紙粉排除の誘導となる。（図３▲１▼）
・空気の抵抗を多くすることにより、空気を掴まえて斜め後方に流し、紙粉を排除することができる。（図３▲２▼）
【考案を実施する為の最良の形態】
【０００６】本考案に係る押え版は図２に示すように壁面部を斜めにした形状で、片面は上向き反対面は下向きで、断面は平行四辺形形となる。厚みは、インクが転写しないように印版より１ｍｍ程低くする。（図２）
底面は、両面テープ等の接着剤が施されており、自在に切断して整版フィルム等に貼り付け、印刷時の緩衝用途及び空気流の調整用途として使用できる。（図２、図３）
【図面の簡単な説明】
【０００７】
【図１】▲１▼従来の押え版の全体図である。▲２▼同上の断面図である。
【図２】▲１▼本考案の押え版の全体図である。▲２▼同上の断面図である。
【図３】▲１▼印版近くに取り付けた図である。▲２▼空気を掴み斜め後方へ流す図である。▲３▼印刷機の版胴にセットした図である。
【符号の説明】
【０００８】    ア    押え版上面
イ    押え版壁面
ウ    底面
エ    押え版の高さ（厚み）
▲ａ▼    当該押え版
▲ｂ▼    印刷用印版
▲ｃ▼    空気流の向き
▲ｄ▼    整版フィルム
▲ｅ▼    版胴
▲ｆ▼    版胴の回転方向
【図１】
0003143265.tif 000003
【図２】
0003143265.tif 000004
【図３】
0003143265.tif 000005
(57)【要約】【課題】化粧用パックシート自体が美肌効果を持つ化粧用パックシートを提供すること。【解決手段】蚕を平面の載置面上で徘徊させることによって、蚕が吐出する糸により平面状シルクが形成されるが、こうして出来た平面状シルクを、略円形に切り抜き、円周の数ヵ所に適宜切り込みを入れ、目と口に当たる部分を横長の楕円形に切り抜き、鼻に当たる部分に切り込みを入れた、平面状シルクの化粧用パックシートである。【選択図】図１
0003143270.tif 000002
【実用新案登録請求の範囲】
【請求項１】
蚕を平面の載置面上で徘徊させることによって、蚕が吐出する糸により平面状シルクが形成されるが、こうして出来た平面状シルクを、略円形に切り抜き、円周の数ヵ所に適宜切り込みを入れ、目と口に当たる部分を横長の楕円形に切り抜き、鼻に当たる部分に切り込みを入れた、平面状シルクの化粧用パックシート。
【請求項２】
平面状シルクを、少しカーブした変形繭玉形に切り抜いた、部分当て用平面状シルクの化粧用パックシート。
【考案の詳細な説明】
【技術分野】
【０００１】  本考案は、化粧用パックシートに関するものである。
【背景技術】
【０００２】  従来、化粧用パックは、ペースト状あるいはゲル状のパック剤を直接顔に塗布するタイプと、化粧用パックシートにパック剤を塗布するかあるいは化粧水等の有効成分を含浸させたパックシートを顔に貼付するタイプとがあった。
化粧用パックシートを用いる場合、パックシートの基材としては、主として紙、布、不織布等が用いられていた。【０００３】  化粧用パックシートを用いたものとしては、例えば下記の文献がある。
【特許文献１】  特開平１１−２２８３４４
【特許文献２】  実用新案登録第３０６３０１８号
【特許文献３】  実用新案登録第３１３４５４２号
【特許文献４】  特開２００５−１８７４４４
【考案の開示】
【考案が解決しようとする課題】
【０００４】  特開平１１−２２８３４４においては、パックシートの基材として、紙又は不織布が使用されている。実用新案登録第３０６３０１８号及び実用新案登録第３１３４５４２号においては、パックシートの基材として布又は不織布が使用されている。
パックシートの基材として紙、布又は不織布等が使用される場合は、化粧水や乳液その他の化粧料を塗布又は含浸させて使用する必要がある。
特開２００５−１８７４４４においては、絹フィブロインを中性塩による水素結合の切断作用を利用して膨潤させ、分子量を４万以下に調整し、中性塩を脱塩して、絹ペプチド、絹オリゴペプチド、絹アミノ酸の水溶液とし、これを平板上に流延し、乾燥してフィルム状としたものが使用されている。
これは、フィルム状シルクを使用するという点においては優れているといえるが、コストが高くなるという難点がある。
本考案においては、いわゆる平繭として知られる平面状シルクを用いて、美肌効果が高く、コストも安い、平面状シルクの化粧用パックシートを提供しようとするものである。
【課題を解決するための手段】
【０００５】  蚕を平面の載置面上で徘徊させることによって、蚕が吐出する糸により平面状シルクが形成される。
こうして出来た平面状シルクを、略円形に切り抜き、円周の数ヵ所に適宜切り込みを入れ、目と口に当たる部分を横長の楕円形に切り抜き、鼻に当たる部分に切り込みを入れた、平面状シルクの化粧用パックシートである。
また、平面状シルクを、少しカーブした変形繭玉形に切り抜き、部分当て用の化粧用パックシートを補助用として作成する。
【考案の効果】
【０００６】  本考案は、化粧水や乳液等の化粧料を使用しなくても、そのままで水やお湯に浸して顔に貼付するだけで美肌効果が得られる。さらに化粧水や乳液等の化粧料を使用すれば、シルクシートの美肌効果との相乗効果が得られる。
また、本考案は、繰り返し使用することができるので、経済的である。
平面状シルクを所定の形に加工するだけなので、コストも安くできる。
【考案を実施するための最良の形態】
【０００７】  本考案を、図１により説明する。
蚕を平面の載置面上で徘徊させることによって、蚕が吐出する糸により平面状シルクが形成される。
こうして出来た平面状シルクを、略円形に切り抜き、円周の数ヵ所に適宜切り込み（２）を入れ、目に当たる部分の二ヵ所に横長楕円形の目部切り抜き（３）を入れ、口に当たる部分の一ヵ所に横長楕円形の口部切り抜き（４）を入れ、鼻に当たる部分に鼻部切り込み（５）を入れた、平面状シルクの化粧用パックシート（１）である。【０００８】  本考案の別の実施例として、図２に示すような形も考えられる。
これは、顎に当たる部分を引き伸ばして顎から首の部分を覆うようにしたものである。これによって、顔だけでなく顎から首にかけての部分もパックし、美肌効果が得られる。【０００９】  また、図３に示すように、別途に少しカーブした変形繭玉形の部分当てパックシート（６）を作る。
これは、平面状シルクの化粧用パックシート（１）の補助用として使用するものであり、単独で目の下二ヵ所に貼付して使用したり、鼻部に貼付して使用してもよいし、また平面状シルクの化粧用パックシート（１）の補助として、それだけでカバーできない部分に使用してもよい。【００１０】  本考案を使用する場合、水又はお湯に含浸すると柔らかくなるので、そのまま顔に貼付して使用すればそれだけで美肌効果があるが、化粧水や乳液等の化粧料を併用すれば、さらに美肌効果が高まる。
また、部分的に目の下とか鼻部とかをパックしたい場合は、部分当てパックシート（６）を使用すればよいし、化粧用パックシート（１）でカバーしきれなかったり密着度が悪い部分に部分当てパックシート（６）を併用すれば、より高い美肌効果が得られる。
本考案は、洗浄して何回でも使用が可能である。
【図面の簡単な説明】
【００１１】
【図１】本考案の平面図
【図２】本考案の別の実施例を示す平面図
【図３】部分当てパックシートの平面図
【符号の説明】
【００１２】１  化粧用パックシート
２  切り込み
３  目部切り抜き
４  口部切り抜き
５  鼻部切り込み
６  部分当てパックシート
【図１】
0003143270.tif 000003
【図２】
0003143270.tif 000004
【図３】
0003143270.tif 000005